(57)【要約】  複数のブラシホルダアセンブリが使われていた電気装置設備から地理的に離れた遠隔地において複数の使用済みブラシホルダアセンブリのコンテナを第３者の宅配サービスを介して受け取ることと、前記電気装置設備の電気装置に取り付けるための複数の未使用のブラシホルダアセンブリのコンテナを前記第３者の宅配サービスを介して前記電気装置設備に送付することを備える電気装置の部品のメンテナンス作業の方法。コンテナは、複数のブラシホルダと、当該コンテナ内のブラシホルダアセンブリを発送するよりも前に前記複数のブラシホルダに予め組み付けられた複数のブラシとを含む複数のブラシホルダアセンブリを含む。コンテナは、複数のブラシホルダアセンブリとの接触のための複数のキャリアを含む。各キャリアは、対応するブラシホルダアセンブリがコンテナ内で移動することを制限するように構成される。
2015534665.tif 000002
【特許請求の範囲】
【請求項１】
電気装置の部品のメンテナンス作業の方法であって、
複数のブラシホルダアセンブリが使われていた電気装置設備から地理的に離れた遠隔地において複数の使用済みブラシホルダアセンブリのコンテナを第３者の宅配サービスを介して受け取ることと、
前記電気装置設備の電気装置に取り付けるための複数の未使用のブラシホルダアセンブリのコンテナを前記第３者の宅配サービスを介して前記電気装置設備に送付することを備える前記方法。
【請求項２】
前記複数の使用済みブラシホルダアセンブリの摩耗した部品を交換することによって、前記遠隔地で複数の未使用のブラシホルダアセンブリを準備することを更に備える請求項１の方法。
【請求項３】
前記複数の未使用のブラシホルダアセンブリの複数のブラシホルダに予め組み付けられた複数の新品のブラシを有するコンテナに、準備した前記複数の未使用のブラシホルダアセンブリを包装することを更に備える請求項２の方法。
【請求項４】
前記遠隔地で前記複数の使用済みブラシホルダアセンブリを複数の未使用のブラシホルダアセンブリに交換することを更に備える請求項２の方法。
【請求項５】
前記電気装置設備から受け取られる前記コンテナと送付される前記コンテナとは異なるコンテナである請求項１の方法。
【請求項６】
前記電気装置設備から受け取られる前記コンテナと送付される前記コンテナとは同じコンテナである請求項１の方法。
【請求項７】
前記遠隔地で前記複数の使用済みブラシホルダアセンブリの１つ以上の部品を検査することを更に備える請求項１の方法。
【請求項８】
前記複数の使用済みブラシホルダアセンブリの１つ以上の部品の状態又は状況に関するデータを収集することと、
収集されたデータをデータベースに入力することと、
収集されたデータを分析することを更に備える請求項１の方法。
【請求項９】
複数の使用済みブラシホルダアセンブリの前記コンテナは、複数のブラシが取り付けられた複数のブラシホルダを含むことと、
複数の未使用のブラシホルダアセンブリの前記コンテナは、複数のブラシが取り付けられた複数のブラシホルダを含む請求項１の方法。
【請求項１０】
電気装置用の複数のブラシホルダアセンブリを発送する方法であって、
コンテナに、ブラシホルダとブラシとを含むブラシホルダアセンブリを複数配置することと、
前記複数のブラシホルダに予め組み付けられた複数のブラシを有する、複数のブラシホルダアセンブリの前記コンテナを第３者の宅配サービスを介して電気装置設備に送付することを備える方法。
【請求項１１】
各ブラシホルダを、前記コンテナ内で対応するブラシホルダアセンブリの動きを制限する前記コンテナ内のキャリアに係合させることを更に備える請求項１０の方法。
【請求項１２】
前記キャリアは、各ブラシと対応するブラシホルダとの相対移動を制限するように構成されるキャリアは、各ブラシと対応するブラシホルダとの相対移動を制限するように構成される請求項１１の方法。
【請求項１３】
ブラシ毎に、ブラシホルダと対応するキャリアとが、
前記キャリアに対する前記ブラシホルダの移動を制限するために前記ブラシホルダを前記キャリアに係合させ、
前記ブラシホルダに対する前記ブラシの移動を制限するために前記ブラシホルダ内に位置決めされた前記ブラシを前記キャリアに接触させることを更に備える請求項１１の方法。
【請求項１４】
複数の前記キャリアは、様々な異なる大きさの複数のブラシホルダアセンブリを収納するように形成されている請求項１１の方法。
【請求項１５】
電気装置の複数のブラシホルダアセンブリの性能に関するデータを収集する方法であって、
複数のブラシホルダアセンブリが使われていた電気装置設備から地理的に離れた遠隔地において複数の使用済みブラシホルダアセンブリのコンテナを第３者の宅配サービスを介して受け取ることと、
前記遠隔地で、前記複数の使用済みブラシホルダアセンブリの１つ以上の部品を検査することを備える前記方法。
【請求項１６】
前記複数の使用済みブラシホルダアセンブリの１つ以上の部品の状態又は状況に関するデータを収集することを更に備える請求項１５の方法。
【請求項１７】
収集された前記データをデータベースに入力することを更に備える請求項１６の方法。
【請求項１８】
収集された前記データを分析することを更に備える請求項１７の方法。
【請求項１９】
収集された前記データを分析することは、収集された前記データを、１つ以上の他の電気装置設備から収集されたデータと比較することを含む請求項１８の方法。
【請求項２０】
複数のブラシホルダアセンブリを発送するための装置において、
コンテナと、
前記コンテナに包装される複数のブラシホルダアセンブリとを備え、
各ブラシホルダアセンブリは、前記ブラシホルダアセンブリのブラシホルダに予め組み付けられたブラシを含む、前記装置。
【請求項２１】
前記コンテナ内に配置される複数のキャリアを更に備え、
前記複数のブラシホルダアセンブリは、前記複数のキャリアのうちの２以上のキャリア内に配置される請求項２０の装置。
【請求項２２】
各キャリアは、前記コンテナ内で関連するブラシホルダアセンブリの移動を制限する請求項２１の装置。
【請求項２３】
各キャリアは、当該キャリア内に配置されている対応したブラシホルダに対して、対応するブラシが移動することを制限する請求項２２の装置。
【請求項２４】
各ブラシホルダアセンブリは、当該ブラシホルダアセンブリが配置される前記キャリアのレールと係合する取付梁部材を含む請求項２３の装置。
【請求項２５】
前記複数のキャリアは、前記コンテナ内においてアレイ状で配置されている請求項２１の装置。
【請求項２６】
前記コンテナは、当該コンテナ内の複数のキャリアを分離させるインサートを含む請求項２５の装置。
【請求項２７】
前記コンテナ内に配置され、１つ以上のコンパートメントを区画するインサートを更に備え、
前記複数のブラシホルダアセンブリの少なくとも一つは、前記１つ以上のコンパートメント内に配置される請求項２０の装置。
【請求項２８】
電気装置のブラシホルダアセンブリの交換用ブラシホルダとブラシとを顧客に供給する方法において、
複数のブラシホルダと複数のブラシとを含む複数の交換用ブラシホルダアセンブリを電気装置設備の電気装置に供給するための料金を顧客から受け取ることと、
電気装置設備に複数のブラシホルダと複数のブラシとを含む複数の交換用ブラシホルダアセンブリを供給者から前記電気設備装置に第３者の宅配サービスを介して送付することを備える方法。
【請求項２９】
前記料金は、定期的に発生する料金である請求項２８の方法。
【請求項３０】
前記料金は前記顧客に請求する交換ブラシの費用に含まれる請求項２８の方法。
【請求項３１】
前記供給者に複数の使用済みブラシホルダアセンブリが送付されたことが通知されると、交換用のブラシホルダアセンブリの送付が起こる請求項２８の方法。
【請求項３２】
交換用ブラシホルダアセンブリの送付に先立ってブラシ交換が保障されていることの証明を前記供給者に提供することを更に備える請求項２８の方法。
【請求項３３】
前記複数の交換用ブラシホルダアセンブリを送付するステップは、前記電気装置設備で使用中のブラシホルダアセンブリの検査に応じて供給者の判断で行われる請求項２８の方法。
【発明の詳細な説明】
【技術分野】
【０００１】
本開示は、電気設備の電気装置のブラシとブラシホルダとをメンテナンスする方法及び関連機器に向けている。特に本開示は、ブラシホルダとブラシとブラシホルダアセンブリの部品との検査、代替、修理、改装、交換、又は処分と、また他に、電気装置のブラシホルダアセンブリのメンテナンス作業とに向けられている。
【背景技術】
【０００２】
電気装置におけるブラシの目的は、固定接点表面から移動接点表面に、あるいはその逆に、電流を流すことである。ブラシとブラシホルダとは、発電機、電気モータ及び／又はスリップリングアセンブリなどの電気装置や、例えば回転式クレーンの回転式機械のスリップリングアセンブリ又はモノレールの線型摺接等の摺接用途に使われることがある。多くの電気装置のブラシは、電流を流せるように一つの導電面又は複数の導電面と接触するようになっているグラファイト及びカーボングラファイト等の導電性の材料で作られるブロックまたは他の構造物である。電気導電リード線又はシャントは他の導電部材とブラシとの間の電気的経路を提供するため、ブラシから延出する。
【０００３】
いくつかのデザインで、ブラシボックスタイプのブラシホルダ又は他のタイプのブラシホルダは、作動中にブラシを支持するために使われうる。ブラシとブラシボックスとは、ブラシとブラシとによって接触されている導電面との間で継続的な接触を提供するためにブラシがブラシボックス内で摺動できるように構成されている。時間経過に伴って、例えば、導電面と摩擦接触するブラシの摩擦面がすり減るにつれ、ブラシは縮小または短くなるだろう（例えば、縦の長さの減少）。ブラシが閾値以上にすり減ると、ブラシの交換か又はメンテナンスが必要となることがある。
【発明の概要】
【発明が解決しようとする課題】
【０００４】
従って、ブラシホルダアセンブリの補修やブラシ、ブラシホルダ又はブラシホルダアセンブリの他の部品の交換に役立つ手段を提供することが望ましい。
本開示は、電気的ブラシの代替えデザイン、材料、そして電気ブラシリード線案内部とアセンブリとの使用に向けられる。
【課題を解決するための手段】
【０００５】
そこで、一つの図示された実施形態は、電気装置の部品のメンテナンス作業方法である。その方法は、ブラシホルダアセンブリが使われていた電気装置設備から地理的に遠隔地にある使用済みブラシホルダアセンブリのコンテナを、第３者の宅配サービスを介して受け取ることを含む。その方法は、また前記電気装置設備の電気装置に取り付けるための複数の未使用のブラシホルダアセンブリのコンテナを前記第３者の宅配サービスを介して前記電気装置設備に送付することを含む。
【０００６】
他の図示された実施形態は、電気装置用の複数のブラシホルダアセンブリを発送する方法である。その方法は、コンテナに複数のブラシホルダアセンブリを配置することを含む。各ブラシホルダアセンブリは、ブラシとブラシホルダを含む。いくつかの例において、ブラシは、コンテナにブラシホルダアセンブリを挿入する前にブラシホルダ内に予め組み付けられる。ブラシホルダ内に予め組み付けられたブラシを有するブラシホルダアセンブリのコンテナは、第３者の宅配サービスを介して電気装置設備に送付される。
【０００７】
他の図示された実施形態は、電気装置の複数のブラシホルダアセンブリの性能に関するデータを収集する方法である。その方法は、複数のブラシホルダアセンブリが使われていた電気装置設備から地理的に離れた遠隔地において複数の使用済みブラシホルダアセンブリのコンテナを第３者の宅配サービスを介して受け取ることを含む。その後、使用済みブラシホルダアセンブリの１つ以上の部品は、遠隔地で検査され、修理され、代替えされ、改装され、及び／又は交換される。
【０００８】
他の図示された実施形態は、電気装置のブラシホルダアセンブリの交換用ブラシホルダとブラシとを顧客に供給する方法である。その方法は、複数のブラシホルダと複数のブラシとを含む複数の交換用ブラシホルダアセンブリを電気装置設備の電気装置に供給するための料金を顧客から受け取ることを含む。前記料金との交換で、供給者は、第３者の宅配サービスを介して、電気装置設備に複数のブラシホルダと複数のブラシとを含む複数の交換用ブラシホルダアセンブリを送付する。
【０００９】
また他の図示された実施形態は、複数のブラシホルダアセンブリを発送するための装置である。その装置は、コンテナと、当該コンテナに包装される複数のブラシホルダアセンブリとを含む。各ブラシホルダアセンブリは、当該ブラシホルダアセンブリのブラシホルダに予め組み付けられたブラシを含む。いくつかの例において、複数のキャリアが複数のブラシホルダアセンブリとの接触のためにコンテナ内に配置されている。例えば、複数のキャリアの一つ一つに複数のブラシホルダアセンブリの一つが配置されうる。各キャリアは、対応するブラシホルダアセンブリがコンテナ内で移動することを制限するように構成されうる。例えば、各キャリアは、当該キャリア内に配置されているブラシホルダアセンブリに対して、対応するブラシが移動することを制限しうる。
【００１０】
いくつかの例示した実施形態についての上記概要は、各実施形態又は開示のいくつかの態様の実施例を説明することを意図したものではない。
本開示の態様は、以下の添付図面に関する様々な実施形態の詳しい説明を考慮して、より完璧に理解されるだろう。
【図面の簡単な説明】
【００１１】
【図１】複数のブラシホルダとブラシを電気設備からメンテナンスのための遠隔地に、又は遠隔地から電気装置で用いるために電気設備に発送するための例示的な発送用コンテナの斜視図である。
【図２】図１の発送用コンテナの断面図である。
【図３】ブラシホルダを含む、図１の発送用コンテナの例示的なブラシホルダキャリアと当該ブラシホルダキャリアに配置されているブラシの側面図である。
【図４】例示的なブラシホルダとそれに対応付けられる電気装置のブラシの後方斜視図である。
【図５】図１の輸送用コンテナの例示的ブラシホルダキャリアの斜視図である。
【図６】図５のブラシホルダキャリアの上面図である。
【図７】ブラシとブラシホルダのような、ブラシホルダアセンブリの部品のメンテナンス作業の例示的方法の側面の概略図である。
【発明を実施するための形態】
【００１２】
本開示の側面は、様々な改善と代替形態に修正可能であり、同時に具体的な修正は、図面に例示され、そして詳しく説明されている。その意図は、本開示面の特定の実施形態に限るものではないことに注意すべきである。逆にその意図は、本発明の趣旨と範囲内に含まれる全ての修正構成、均等構成、代替構成を包括する。
【００１３】
以下の定義づけられた用語については、異なる定義が明細書又は特許請求の範囲に与えられていない限り、これらの定義が適用される。
全ての数値は、明示されていてもいなくても約（about）という用語によって修飾されているものとみなされる。約（about）という用語は、一般的に当業者が引用した値（同じ機能及び結果を有する）と同等であると考える数値の範囲を指す。多くの例において、約（about）という言葉は、四捨五入した有効数字を含んでいるものを指しうる。
【００１４】
両エンドポイントを指定した数値範囲には、その範囲に含まれる全ての数値が含まれる（例えば１〜５には、１、１．５、２、２．７５、３、３．８０、４及び５が含まれる）。
【００１５】
様々な部品、機能、そして仕様に関するいくつかの適切な寸法、範囲又は数値が開示されているが、本開示によって駆り立てられた当業者であれば、好ましい寸法、範囲、また数値が、明示的に開示されたものから外れることがあると理解するであろう。
【００１６】
この明細書と添付された特許請求の範囲を使うとして、単数であることを示すa、anそしてtheは文脈上、そうでないとする明確な指示がない限り、複数の指示対象を含んでいる。この明細書と添付された特許請求の範囲で使われる場合、用語「又は（or」は、そうでないとする明確な指示がない限り、一般的に及び／又はという意味で用いられる。
【００１７】
以下の詳細な説明は、異なる図面において類似する部材に同じ番号が付されている図面を参照しながら読むとよい。詳細な説明、及び、必ずしも実際の縮尺ではない図面は、例示的な実施形態を示すものであり、開示範囲の制限を意図したものではない。図示されている実施形態は例示のみを意図している。いずれの図示された実施形態の選択された特徴は、それに反する明確な言及が無い限り、追加の実施形態に組み込まれてもよい。
【００１８】
図１は、ブラシホルダ１２、ブラシ２０、そして関連部品を含む複数のブラシホルダアセンブリ１０を発送又は運送するように構成された例示のコンテナ５０を示している。例えばコンテナ５０は、ブラシホルダアセンブリ１０又はその部品を遠隔地（例えば、販売やメンテナンスをする場所）から電気装置設備（例えば、発電設備）に、及び／又は、電気装置設備（例えば、発電設備）から遠隔地（例えば、販売やメンテナンスをする場所）に運送するために使われうる。例えば、コンテナ５０は、第３者の宅配サービス（例えば、FedEX、UPS、U.S.Postal Service、DHL Global Mail等）を介して、未使用のブラシホルダアセンブリ１０又はその部品を電気装置設備に発送するために使われてよいし、又は、コンテナ５０は、使用済みブラシホルダアセンブリ１０、又はその部品を検査、メンテナンス作業、修理、交換、また代替え、修復するために第３者の宅配サービス（例えば、FedEX、UPS、U.S.Postal Service、DHL Global Mail等に）を介して、使用済みブラシホルダアセンブリ１０、又はその部品を遠隔地に発送するために使われてもよい。
【００１９】
いくつかの例において、複数のブラシホルダアセンブリ１０、ブラシホルダ１２、ブラシ２０又は、電気装置のブラシホルダアセンブリ１０の他の部品は、輸送機関のコンテナ５０内で電気装置設備から又は電気装置設備に運送されてよいし、輸送機関のコンテナ５０内で遠隔地から又は遠隔地に運送されてもよい。いくつかの例において、輸送機関は、コンテナ５０を電気装置設備（例えば、搬入口）内の場所まで運送してよいし、または、輸送機関がコンテナ５０を電気装置設備の外の場所まで運送し、そして他の輸送手段がそのコンテナ５０を又はそのコンテナ５０内の運ばれた部品をその電気装置設備の内部に運ぶために使われてもよい。
【００２０】
コンテナ５０は、１つ以上のまたは複数のブラシホルダアセンブリ１０やその部品を保持するように構成される任意の所望の構造を有し得る。例えば、図に示す実施形態のように、コンテナ５０は、発送用ボックス５２内の内容物を包むように構成される蓋５２を有する発送用ボックス５２を含んでもよい。いくつかの例において、発送用ボックス５２及び／又は蓋５４は、段ボール紙や他の紙系の材料のような厚紙でもよい。他の例において、ボックス５２及び／又は蓋５４は、必要に応じて、ポリマー材料や他の材料で形成されてもよい。ボックス５２は、ブラシホルダアセンブリ１０を保持するための任意の所望の形状、大きさ、構造でもよい。例えば、ボックス５２は、４側面、底、及び蓋５４を含んでもよい。いくつかの例において、蓋５４は、ボックス５２にヒンジで取り付けられるように、ボックス５２と一体に形成されてもよいし、一方で他の例では、蓋５４は、内容物を包むためにボックス５２に取り外し可能に設置される別体部品でもよい。
【００２１】
コンテナ５０は、コンテナ５０内のブラシホルダアセンブリ１０が動かないようにインサート５６のような包装資材を含んでもよい。インサート５６は、ブラシホルダアセンブリ１０を保護し輸送中のブラシホルダアセンブリ１０が動かないように、１つ以上のブラシホルダアセンブリ１０を別の１つ以上のブラシホルダアセンブリ１０から分離又は隔離させてもよい。インサート５６は、複数のコンパートメント６０を区画する一つのブロック材料でもよいし、インサート５６は、それらの間に複数のコンパートメント６０を区画する複数の部品材料で構成されてもよい。いくつかの例において、インサート５６は、発泡インサート、段ボール紙又は他の衝撃吸収材料でもよい。他の実施形態において、輸送中のブラシホルダアセンブリ１０を保護するためにコンテナ５０内のブラシホルダアセンブリ１０を動かなくさせる他の包装資材が使われてもよい。図示した実施形態では、インサート５６は、二次元配列で複数のコンパートメント６０を区画する仕切壁を含みうる。例えば、インサート５６の仕切壁は、１つ以上のまたは複数の横列のコンパートメント６０と、１つ以上のまたは複数の縦列のコンパートメント６０とを区画してもよい。各コンパートメント６０は、ひとつのブラシホルダ１０をその内部にしっかり保持するように構成されうる。しかし、他の実施形態において、各コンパートメント６０は、必要に応じて、複数のブラシホルダアセンブリ１０を保持するように構成されてもよい。
【００２２】
図２に示すように、コンパートメント６０は、４つの側壁と底部によって区画されうる。したがって、インサート５６は、例えばコンパートメント６０の開放された上側開口を通して、ブラシホルダアセンブリ１０をコンパートメント６０に挿入またはコンパートメント６０から取り外しすることを許容できる。いくつかの例において、ブラシホルダアセンブリ１０の一部、例えばハンドル２２の一部がインサート５６の上面から上に延出されてよい。
【００２３】
コンテナ５０の包装資材は、コンパートメント６０の上側開口を覆うようにインサート５６に配置されるように構成される、発泡シート又は他の衝撃吸収材料のような、カバーインサート５８を含むことができる。例えば、カバーインサート５８は、インサート５６の上方に配置されて、コンパートメント６０内のブラシホルダアセンブリ１０を完全に包囲すべくカバーインサート５８の下面がインサート５６の上面に対面するか、当接するか、または押圧するように構成される圧縮発泡シートでもよい。例えば、蓋５４がボックス５２上に閉じられたとき、カバーインサート５８は、ブラシホルダアセンブリ１０をしっかりと保持し運搬中にコンパートメント６０内でのブラシホルダアセンブリ１０の望ましくない移動を防止するように、ハンドル２２などの、インサート５６の上面より上に延出するブラシホルダアセンブリ１０の一部を押圧してもよい。いくつかの例において、インサート５６の上面より上に延出するブラシホルダアセンブリ１０の一部を受承する窪みまたは凹部（図示なし）を含んでもよい。カバーインサート５８が圧縮性部材にて形成されるいくつかの例において、蓋５４が閉じられ、コンテナ５０がブラシホルダアセンブリ１０を確実に固定して輸送するように調製されているとき、カバーインサート５８は、インサート５６の上面より上に延出するブラシホルダアセンブリ１０の一部に対して圧縮されたり変形されてもよい。図に示されている実施形態において、カバーインサート５８は、蓋５４の下面に取り付けられることができ、蓋５４が閉じられる時、カバーインサート５８はインサート５６の上に自動的に配置されてコンパートメント６０内のブラシホルダアセンブリ１０を固定する。他の実施形態では、カバーインサート５８は、蓋５４をボックス５２の上に閉じる前に、手動でインサート５６上に配置されうる。
【００２４】
ブラシホルダアセンブリ１０を受承するキャリア７０がインサート５６の各コンパートメント６０に配置されてもよい。キャリア７０は、例えば、ポリマー材料又は金属材料等のような所望の材料にて形成されてもよい。キャリア７０は、輸送中にブラシホルダアセンブリ１０を所望の静止姿勢で保定するように構成されてよく、このようにしてブラシホルダアセンブリ１０をコンテナ５０内に配置するための安定した接合部分を提供してもよい。いくつかの例において、キャリア７０は、様々な大きさのブラシホルダアセンブリ１０を収納できるように構成されてもよい。従って、キャリア７０は、複数の異なる大きさのブラシホルダアセンブリ１０を一緒に保持することができ、配置されるブラシホルダアセンブリ１０のサイズに関わらず単一構成のキャリア７０を用いることができる。キャリア７０は、輸送中常に、ブラシホルダアセンブリ１０を所望の姿勢に維持するように、ブラシホルダアセンブリ１０をインサート５６のコンパートメント６０内に収容する構造体またはハウジングを提供できる。
【００２５】
いくつかの例において、キャリア７０は、インサート５６のコンパートメント６０に動かないように固定されてもよい。例えば、いくつかの実施形態において、キャリア７０は、コンパートメント６０に挿入されるときに、インサート５６のコンパートメント６０内で締りばめを生じるように構成されてもよい。例えば、キャリア７０は、コンパートメント６０の長さ及び／又は幅よりも大きく形成され、インサート５６への挿入時に、キャリア７０がインサート５６を圧縮又は変形させる。他の実施形態では、キャリア７０は、接着接合されてもよいし、スナップフィットでもよいし、１又は複数の締結手段で動かないように固定されてもよいし、圧入されてもよいし、その他でインサート５６のコンパートメント６０に固定されてもよい。他の例において、キャリア７０は、インサート５６の一部として一体的に形成されてもよい。図２に示すようにインサート５６の一部は、輸送中にブラシホルダアセンブリ１０をさらに保護するためにキャリア７０の下に位置決めされてもよい。
【００２６】
図３は、ブラシホルダアセンブリ１０が配置されたキャリア７０の側面図である。図３に示すように、キャリア７０は、例えばブラシホルダアセンブリ１０のハンドル２２がキャリア７０の上部の上方に延出した状態でブラシホルダアセンブリ１０を囲む開放された箱構造体でありうる。キャリア７０は、ブラシホルダアセンブリ１０をしっかりとそこに固定するためにブラシホルダアセンブリ１０のブラシホルダ１２及び／又はブラシ２０と結合できる。例えば、キャリア７０は、輸送中にキャリア７０内においてブラシホルダアセンブリ１０を所望の静止姿勢で固定すべくブラシホルダアセンブリ１０と結合するレール７２のような固定構造体を含んでもよい。加えて、キャリア７０は、ブラシホルダアセンブリ１０がキャリア７０内に嵌め込まれてレール７２又は他の固定構造体に取り付けられる時、ブラシ２０と係合しブラシホルダアセンブリ１０を支持するように形成される台座７４を含んでよい。いくつかの例において、台座７４は、ブラシホルダアセンブリ１０がそこに配置されるときに、ブラシ２０を支えるように構成される傾斜面または角ばった面を有する、傾斜形状またはくさび形状を有してもよい。台座７４は、様々な異なる大きさのブラシホルダアセンブリ１０を収納するように形成されてよく、従って、ブラシ２０は、挿入されたブラシホルダアセンブリ１０の大きさに関係なく台座７４に支持されることができる。
【００２７】
ブラシホルダアセンブリ１０は、例えば図４に示すように、ブラシボックスのように複数の側面でブラシ２０を囲み、そしてブラシ２０の直線的なまたは縦の移動を案内する複数のガイド側面を含むブラシホルダ１２を含むことができる。いくつかの実施形態において、ブラシホルダ１２は、箱の形でなくともよいが、ブラシ２０の直線的なまたは縦の移動を案内するために、ブラシ２０の１つ以上の側面に当接及び／又は包囲するか、又はブラシ２０の内部にまたは貫通して延出する、例えば溝、杭又は柱のような、一つまたは複数のガイド面を含んでもよい。
【００２８】
ブラシホルダ１２は、例えば電気装置に設置される時、その電気装置の取り付けブロックなどの他の構造物に取り付けられるように構成される取付梁部１４にしっかりと固定される。ブラシホルダアセンブリ１０は例えば集電環、スリップリング、又は整流子の回転面のような電気装置の導電面にブラシ２０を接触させるとともに、そこから電流を流すように構成される。ブラシ２０は、ブラシ１２の下縁から延出してもよく、この場合、ブラシ２０の摩擦面が導電面と係合できる。取付梁部１４は、オーバーセンター（over-center）係合機構、摺動係合のためのスロット付き又は溝付き係合機構、又はブラシ２０を電気装置の導電面から容易に係合／取り外すための他の機構を含んでもよい。
【００２９】
いくつかの実施形態において、ブラシホルダアセンブリ１０は、参照により援用する、「ブラシホルダ装置、ブラシアセンブリ及び方法」という発明の名称の米国特許第７，０３４，４３０号にて説明されているブラシホルダアセンブリと実質的に類似していてもよい。他の実施形態において、ブラシホルダアセンブリは、ブラシホルダを固定的に保持する他の構造体に剛体的に取り付けられるかまたは所望の配列で他の構造体に取り付けられるブラシホルダを含みうる。例えば、いくつかの実施形態において、ブラシホルダは、固定構造体に締結、又は溶接されてもよい。そのようなブラシホルダのいくつかは、参照により援用する米国特許第６，７３１，０４２号、５，７５３，９９２号、５，６２１，２６２号、５，４６３，２６４号、５，３９７，９５２号、５，２５６，９２５号で開示されている。
【００３０】
図４に示すように、取付梁部１４は、ヒンジで又は回動可能に相互に結合された上梁部１６と下梁部１８とを含みうる。図４に示すように、上梁部１６が下梁部１８に対して傾動される（例えば、上梁部１６の長手軸が下梁部１８の長手軸に対して斜めになっている）とき、ブラシホルダ１２は、電気装置から取り外すため、または、電気装置に取り付けるために、ブラシ２０が電気装置の導電面に対して非接触であるか、離間するか、さもなくば直接の電気接続されない解除位置またはアンロック位置にあると考えられる。上梁部１６と下梁部１８が互いに整列している（例えば、上梁部１６の長手軸が下梁部１８の長手軸と平行になっている）とき、ブラシホルダ１２は、ブラシ２０が使用中の電気装置の導電面と接触又は近接する、係合位置又はロック位置にあると考えられうる。取付梁部１４は、下梁部１８に対して上梁部１６をアンロックされたまたは非係合位置と、ロックされたまたは係合位置との間で移動させることで作動中の電気装置の取り付けブロックに対して取り外し可能に取り付けることができる。
【００３１】
取付梁部１４は、例えばブラシ２０が台座７４に支持された状態でブラシホルダアセンブリ１０がキャリア７０内で安定した静止姿勢で結合するための、レール７２又は他のキャリア７０の固定構造体に組付けられるように構成されてもよい。いくつかの例において、レール７２は、電気装置の取り付けブロックと同様に構成されてもよく、この場合、レール７２を同様に取付梁部１４と結合することができる。図３に示すように、いくつかの実施形態では、上梁部１６が下梁部１８対して斜めに向いているアンロック位置にブラシホルダアセンブリ１０がある状態で、取付梁部１４はレール７２と結合されうる。
【００３２】
下梁部１８と上梁部１６の一方または両方のような取付梁部１４は、レール７２又は他の固定構造を受継する溝部３０を区画してもよい。例えば、溝部３０は、下梁部１８及び／又は上梁部１６の両側面と、当該側面がそこから延出する、下梁部１８及び／又は上梁部１６の後面との間に区画されうる。いくつかの例において、取付梁部１４は、レール７２を溝部３０に摺動可能に配置することによって、レール７２と摺動可能に結合されてもよい。取付梁部１４は、下梁部１８の両側面から溝部３０内に延出する突起３２のような係合部を含むことができ、当該係合部はレール７２の係合部のようなキャリア７０の係合部と係合するように設けられうる。それに加えて又は代えて、取付梁部１４は、キャリア７０の係合部と係合するように設けられている、上梁部１６の両側面から溝部３０内に延出する突起３４のような係合部を含みうる。
【００３３】
いくつかの実施形態において、電気装置とブラシ２０との係合及び非係合を容易にするハンドル２２がブラシホルダ１２に取り付けられてもよい。例えば、ハンドル２２は、上梁部１６に取り付けられてもよく、この場合、ハンドル２２の動きによって、上梁部１６は下梁部１８に対して係合位置と非係合位置との間で移動（例えば、回動、摺動、解除）することができる。ハンドル２２は、取り外し可能なハンドルでもよいし、またハンドル２２は、上梁部１６又はブラシホルダ１２の別の部分と取り外せないように取り付けられてもよい。
【００３４】
また図４に図示されているのは、電気設備の導電面の方に、そして接触するように付勢する張力でブラシ２０を付勢する定荷重ばねのようなブラシばね２４である。そのばね２４は、例えばブラシホルダ１２のある部分、又はブラシホルダアセンブリ１０の取付梁部１４と取り付けられてよい。いくつかの実施形態において、ばね２４は、ブラシホルダアセンブリ１０のブラシ２０と取付梁部１４の間にあるブラシ２０の一側面に沿って延出しうる。
【００３５】
ブラシ２０は、例えば、ブラシ２０を通して、電気装置の導電面から及び／又は導電面へ電気を通す網組銅電線のような１つ以上の電気リード線（例えばシャント）２６を含みうる。例えば、第１及び第２電気リード線２６がブラシ２０から、例えば取付梁部１４のようにブラシホルダアセンブリ１０の部品と結合している導電性端子２８に延出してもよい。リード線２６の終端は、はんだ付けしてもよいし、ロウ付けしてもよいし、圧着してもよいし、クランプしてもよいし、またはその他で取り外し可能にまたは取り外せないように端子２８と固定されてもよい。
【００３６】
ブラシホルダアセンブリ１０は、リード線２６がブラシホルダ１２内のブラシ２０の動きを妨げないように、ブラシ２０から延出するリード線２６を所望の位置/方向に固定するように構成されるブラシリード線案内部（図示しない）を含みうる。いくつかの実施形態において、ブラシリード線案内部は、参照により援用する、「ブラシホルダアセンブリのブラシリード線案内部」という発明の名称の２０１２年３月４日出願の米国特許出願番号第１３/４１９,９３７号に開示されているブラシリード線案内部と実質的に類似していてもよい。例えば、案内部は、第１リード線２６と第２リード線２６とを間隔を空けた配置に維持してもよく、この場合、ばね２４は第１リード線２６と第２リード線２６との間に位置づけられうる。いくつかの例において、使用中のブラシ２０の摩耗程度を表示するためのブラシ摩耗目印がブラシリード線案内部に含まれてもよく、又は別途のブラシ摩耗目印部がブラシホルダアセンブリ１０に備えてもよい。
【００３７】
キャリア７０の図示された実施形態のいくつかの態様が、図５及び図６にさらに図示されている。図示された実施形態に示すように、いくつかの例において、キャリア７０は、後壁８１、前壁８２、後壁８１と前壁８２との間を延出する側壁８３、８４と、底部８５と、キャリア７０の内部に開口する開口上端部９０とを有する開口式の骨組みとして構成されうる。レール７２、又は他の固定構造体は、後壁８１からキャリア７０の内部に延出しうる。
【００３８】
キャリア７０は、インサート５６のコンパートメント６０内にキャリア７０を固定させる１つ以上のまたは複数の保持部を含みうる。例えば、キャリア７０は、コンパートメント６０内のキャリア７０の更なる固定のために、キャリア７０の１つ以上の側面から外部に延出する１つ以上のまたは複数の延出部を含んでよい。例えば、キャリア７０は、インサート５６と係合するように構成される、底壁８５から外部に延出する１つ以上のまたは複数の延出部７７を含んでもよい。加えて又は代わりに、キャリア７０は、側壁８３、８４から外部に延出する１つ以上のまたは複数の延出部７８を含んでもよく、及び／又は、キャリア７０は、後壁８１及び／又は前壁８２から外部に延出する１つ以上のまたは複数の延出部７６を含んでもよい。
【００３９】
レール７２は、キャリア７０内でブラシホルダアセンブリ１０を静止姿勢で固定するためにブラシホルダアセンブリ１０と係合するように構成されうる。図示された実施形態において、ブラシホルダアセンブリ１０が、キャリア７０内に配置される時に側壁８３、８４の間で等間隔に中心に配置されるように、レール７２は側壁８３、８４の間で等間隔に配置されてもよい。例えば、取付梁部１４は、ブラシホルダアセンブリ１０がキャリア７０内に開口上端部９０を通って側壁８３、８４の間のブラシホルダアセンブリ１０の中心に位置するように挿入される時、摺動できるようにレール７２に配置されてよい。
【００４０】
レール７２は、例えば取付梁部１４の係合部と結合するように形成され構成されうる。例えば、レール７２は、レール７２が取付梁部１４の溝部３０に摺動可能に配置されるとき、下梁部１８の突起３２を摺動可能に受承するように構成される、レール７２の両側面に区画される溝部８６を含んでよい。さらに、レール７２は、レール７２が取付梁部１４の溝部３０内に摺動可能に配置されるとき、上梁部１６の突起３４を受承する、レール７２の両側面に区画される溝部８８を含みうる。溝部８６、８８内の突起３２、３４の係合は、キャリア７０内でレール７２に対してブラシホルダアセンブリ１０を固定し、輸送中のコンテナ５０内でブラシホルダアセンブリ１０を安定化させることができる。
【００４１】
ブラシホルダアセンブリ１０は、ブラシ２０がブラシホルダアセンブリ１０のブラシホルダ１２に配置（例えば、予め組み立てられるか、予め積め込まれている）された状態でコンテナ５０内で輸送される。キャリア７０は、ブラシホルダアセンブリ１０のブラシホルダ１０に配置されるブラシ２０の動きを制限するように構成されうる。例えば、キャリア７０は、キャリア７０に対するブラシホルダ１２の動きを制限するために少なくともブラシホルダ１２の一部と接触するように構成されてもよく、キャリア７０は、キャリア７０及び対応するブラシホルダ１２に対する（ブラシホルダ１２内に配置される）ブラシ２０の動きを制限するために少なくともブラシ２０の一部と接触するように構成されてもよい。例えば、台座７４がブラシ２０と係合又は接触してキャリア７０とブラシホルダ１２に対するブラシ２０の動きを制限しつつ、レール７２がブラシホルダ１２と接触又は係合してキャリア７０に対するブラシホルダ１２の動きを制限してもよい。台座７４は、ブラシ２０がブラシホルダ１２に取り付けられた状態でブラシ２０の上面に対して押しつけられるばね２４の付勢力に反発するように、ブラシ２０の下面と更に接触してもよい。キャリア７０の台座７４とブラシ２０との相互作用とキャリア７０のレール７２とブラシホルダ１２の取付梁部１４との相互作用とが協働して、ブラシホルダアセンブリ１０の輸送中にブラシホルダ１２内にブラシ２０を固定しうる。ブラシ２０は、参照により援用する、「ブラシホルダ装置、ブラシセンブリと方法」という発明の名称の米国特許第６，７，０３４，４３０号に開示されているブラシホルダアセンブリ１０ブラシキャッチ以外の手段によってブラシホルダ１２内に固定できる。例えば、ブラシホルダアセンブリ１０を電気装置に装着する前にブラシホルダアセンブリ１０から外さなければならないキャリア７０のような別途の部品を、コンテナ５０の運送中にブラシホルダ１２にブラシ２０を固定するために使うことができる。
【００４２】
コンテナ５０は、複数のブラシホルダアセンブリ１０を痛めることなく、複数のブラシホルダ１２、複数のブラシ２０、そして他の関連部品を含む複数のブラシホルダアセンブリ１０を運送又は発送するように構成されうる。例えば、コンテナ５０は一部のメンテナンスのプログラムとして、第３者の宅配サービスを介して複数のブラシホルダアセンブリ１０を運送又は発送するように構成されてもよい。
【００４３】
図７は、遠隔地１１０（例えば、販売やメンテナンスをする場所）から電気装置設備１００（例えば、発電設備）に、又は電気装置設備１００（例えば、発電設備）から遠隔地１１０（例えば、販売やメンテナンスをする場所）に、ブラシホルダアセンブリ１０を発送するために使われるコンテナ５０内のブラシホルダアセンブリ１０のブラシ２０及びブラシホルダ１２のような部品のメンテナンス作業の例示的方法の側面の概略図である。いくつかの例において、遠隔地１１０は、メンテナンス設備、販売設備、及び／又はデータ収集設備と考えられうる。遠隔地１１０の記述において、遠隔地１１０の意味は、第３者の宅配サービスを介してコンテナ５０を電気装置設備１００から又は電気装置設備１００に発送するために、運送業者の運送チャンネル（例えばトラック、飛行機、列車、ボート、又は他の輸送手段）を介するコンテナ５０の運送を必要とするくらいに電気装置設備１００から地理的に離れた場所のことである。いくつかの例において、遠隔地１１０は、互いに地理的に離れている複数の電気装置設備１００の各々から使用済みブラシホルダアセンブリ１０のコンテナ５０を送付/受け取ってもよく、この場合、１つの遠隔地１１０は、当該複数の電気装置設備１００に共通したものであり得る。なお、電気装置設備１００のブラシホルダアセンブリ１０のメンテナンス作業の例示的方法の以下の説明は、単体の電気装置設備１００に関連して説明されているが、同じような方法が、追加した複数の電気装置設備１００に対しても同様に実施してもよい。
【００４４】
電気装置に取り付けられる１つ以上のまたは複数のブラシホルダアセンブリ１００を有する、発電機のような電気装置設備１００には、当該電気装置で使用開始可能な状態にある（例えば、ブラシ２０がブラシホルダ１２に事前に導入又は装着された）未使用のブラシホルダアセンブリ１０で満たされているコンテナ５０が供給されうる。ブラシホルダアセンブリ１０が未使用であるという記述において、その意味は、ブラシホルダアセンブリ１０が電気装置に取り付けられる準備ができている動作状態にあることであり、その電気装置では、電気装置で以前に使用された摩耗した部品（使用済みブラシ２０、ばね２４、リード線２６、端子２８、そして他の代用部品）が必要に応じて、ブラシホルダアセンブリ１０を作業させるための準備のために新しい部品に取り替えられる。なお、取付梁部１４とハンドル２２とを含むブラシホルダ１２は、ブラシ２０、ばね２４、リード線２６、及び／又は端子２８などの摩耗した部品を取り替えることによって、電気装置において、非常に多くの回数、再利用されうる。
【００４５】
ブラシホルダ１０のブラシ２０が閾値条件を越えて摩耗するか、又は未使用のブラシホルダアセンブリを有する電気装置にあるブラシホルダアセンブリを未使用ブラシホルダアセンブリ１０に取り替えることが決められる他の条件が発生するとき、電気装置設備の従業員が、使用済みブラシホルダアセンブリ１０を電気装置から外し、（コンテナ５０から取り出した）未使用のブラシホルダアセンブリ１０を電気装置に取り付けうる。このように従業員は、使用済みブラシホルダアセンブリ１０を未使用のブラシホルダアセンブリ１０と交換しうる、つまり電気設備から使用済みブラシホルダアセンブリ１０を外し、その使用済みのブラシホルダアセンブリ１０をコンテナ５０内に収容し、そして、未使用のブラシホルダアセンブリ１０をコンテナ５０から取り外し、電気装置にその未使用のブラシホルダアセンブリ１０を取り付ける。この作業は、コンテナ５０内の全ての未使用のブラシホルダアセンブリ１０が電気設備で使用できるように装着されて、コンテナ５０が使用済みブラシホルダアセンブリ１０で満たされるまで従業員によって繰り返されうる。
【００４６】
その後、使用済みブラシホルダアセンブリ１０で満たされたコンテナ５０は、第３者の宅配サービスを介して遠隔地１１０に運送（例えば、発送）されてもよい。例えば、電気装置設備１００の従業員は輸送のため、蓋５４を閉め、蓋５４をボックス５２に固定することで、コンテナ５０内にブラシホルダアセンブリ１０を固定できる。コンテナ５０は、当該コンテナが輸送チャネルを介して遠隔地１１０に届けられるように、遠隔地１１０によってそのコンテナに設けられるか又は電気装置設備１００でそのコンテナ５０に取り付けられる発送先ラベル９５を含みうる。いくつかの例において、運搬費は、遠隔地１１０で前払いされうる。
【００４７】
使用済みブラシホルダアセンブリ１０で満たされたコンテナ５０は遠隔地１１０で受け取られる。第１コンテナ５０が遠隔地１１０に到着した時に、又は第１コンテナ５０を受け取る前か受け取った後の他の指定時間において、未使用のブラシホルダアセンブリ１０で満たされた第２コンテナ５０が、第３者の宅配サービスを介した、遠隔地１１０から電気装置設備１００に、又は、遠隔地１１０によって管理又は指示された他の場所に運送（例えば、発送）されてもよい。いくつかの例において、電気装置設備１００から又は電気装置設備１００に、ブラシホルダアセンブリ１０を運送するために複数のコンテナ５０が使われうる。他の例において、第１コンテナ５０内の使用済みブラシホルダアセンブリ１０が未使用のブラシホルダアセンブリ１０に置き替えられ、その後、その第１コンテナ５０が、電気装置設備１００に運送又は返送されてよく、このようにして単一のコンテナ５０を利用することができる。
【００４８】
遠隔地１１０で受け取られるとき、１つ以上の仕事、処理又は責務は、遠隔地１１０の従業員によって行われうる。例えば、遠隔地１１０の従業員は、使用済みブラシホルダアセンブリ１０を又はその部品の異状摩耗又は過熱（例えば、変色したリード線）の兆候を調べ、または、部品（例えば、端子２８）の電気接続不良（例えば、孔食、変色）を調べる。遠隔地１１０の従業員は、寸法の整合性やブラシホルダ１２の制限物（例えば、炭素すす、へこみ、刻み目、又は異物）を検査するように、ブラシキャッチの適切な機能（例えば、圧力、清浄度、寸法の整合性）を検査するように、部品（例えば、ブラシホルダ１２）のひび、破損、欠品又は破損箇所の検査するように、取付梁部１４のヒンジやキャッチアーム（catch arm）ブラシホルダアセンブリ１０の機能性を検査するように、部品を検査でき、そして必要なら油をさすことができる。例えば、ブラシホルダ１２のようなブラシホルダアセンブリ１０の再利用部品は、残留炭素又は他の異物を取り除くために掃除されてよい。例えば、従業員は、ブラシホルダ１２や他の再利用部品を熱的に及び／又は超音波的に掃除してもよい。必要ならば、ブラシ２０と摺動接触するブラシホルダ１２の内部は、ブラシホルダ１２に新しいブラシ２０を取り付ける前に表面再構築又は磨かれうる。
【００４９】
全ての再利用部品が検査され、清掃され、表面再構築等されると、ブラシホルダアセンブリ１０は、新しい摩耗部品（例えば、適切ならば、ブラシ２０、ブラシバネ２４、リード線２６、端子２８、又はブラシリード線案内部）で再び組み立てられうる。例えば、新しいブラシ２０は、ブラシホルダ１２に事前に導入又は装着され、ブラシ２０から延出しているリード線２６に取り付けられる端子２８は、ブラシホルダ１２の取付梁部１４と結合されうる。新しいばね２４及び／又はブラシリード線案内部は、ブラシ２０が取り付けられた時に、必要ならばブラシホルダアセンブリ１０内に取り付けられうる。ブラシ２０と関連部品は、ブラシホルダ１２がコンテナ５０に挿入される前か後に、ブラシホルダ１２に事前に導入又は装着され、未使用のブラシホルダアセンブリ２０で満たされているコンテナ５０は、ブラシ２０がブラシホルダ１２に事前に導入又は装着された状態で、電気装置設備１００にその後送付されうる。なお、遠隔地の従業員１１０は、使用済みブラシホルダアセンブリ１０の全ての摩耗した又は使用済み部品を再利用してもよい。
【００５０】
追加のサービスが遠隔地１１０で行われうる。例えば、遠隔地１１０の従業員は、電気装置設備１００の又は電気装置設備１００のための他の監視施設の従業員がアクセスすることができる、カスタマウェブサポート又は他のデータベースに、行った作業、所見、及び／又はブラシホルダアセンブリ１０の部品の交換などの、ブラシホルダアセンブリ１０のメンテナンスデータを記録してもよい。したがって遠隔地１１０は、どのように電気装置設備１００で電気装置ユニットが作業をするのかという結果であって、業界平均、他の電気装置設備、又は他の相対的なデータに対して、電気装置設備１００の電気装置ユニットがどのように作業しているかの比較を含む、前記結果を顧客に提供することができる。遠隔地は、一電気装置設備１００の個々の電気装置がどのように作業しているかについての、実証的な、歴史的な又は以前に収集した記録に基づいたデータを提供してもよく、そのデータは、当該電気装置設備１００の当該電気装置が問題を起こしているかどうか、又は電気装置に対するメンテナンスが必要かどうかの指標を提供できる。いくつかの例において、収集されたデータは、必要に応じて、個人毎に及び／又は団体毎にそのデータに対する異なるアクセスのレベルが割り振られるように、制限されてもよい。収集されたデータは、例えばEメール、ウェブページ、ポータブルサイトを含む電子手段などの任意の所望の手段によって入手できるようにされてもよい。
【００５１】
電気装置設備１００の従業員は、電気装置に取り付けられるか又は動作中のブラシホルダアセンブリ１０のブラシ２０を監視し（ブラシ摩耗の監視など）、必要ならばブラシホルダアセンブリ１０のブラシ２０を交換してもよい。加えて又は代わりに、電気装置設備１００の従業員は、リード線２６や他の部品の変色及びブラシホルダアセンブリ１０の部品のアーク放電を監視してもよく、必要ならば遠隔地１１０の従業員に変色やアーク放電について知らせてもよい。
【００５２】
電気装置設備１００の従業員は、振動プローブを用いて、ブラシホルダアセンブリ１０のブラシ２０の振動を定期的に記録してもよい。例えば、従業員は、ブラシ２０に対して振動プローブを配置し、その振動プローブを用いて継続時間にわたってブラシ２０の振動に関するデータを収集してもよい。この従業員は、収集したデータをウェブサイト、ポータプルサイト、又は他のデータベースに定期的（例えば、日ごとに、週ごとに、月ごとに）に記録、又はアップロードしてもよい。いくつかの例において、ブラシ２０の振動データ又は他のデータは、デジタルデータ記憶装置（例えば、ＵＳＢフラッシュドライブ、メモリーカード、メモリースティック、ＣＤ、ＤＶＤ、又は他のデジタル記憶装置）のようなデータ記憶装置内に記録又は保存できる。記録される振動は、振動プローブからデータ記憶装置に直接に記録されて保存されてよく、又は収集データは後でデータ記憶装置に伝送されてもよい。
【００５３】
データ記憶装置に記録されて保存された収集データを有するデータ記憶装置は、遠隔地１１０の従業員に送付されてもよい。例えば、データ記憶装置は、第３者の宅配サービスを介して使用済みブラシホルダアセンブリ１０のコンテナ５０とともに、又は別便で発送されてもよい。データ記憶装置に保存されたデータは、その後、遠隔地１１０からデータベースに入力されうる。
【００５４】
遠隔地１１０の従業員は、収集されたデータを評価及び／又は他の集められたデータと比較してもよい。ひいては、収集されたデータの比較分析を、電気装置の状態を評価するため、及び／又は他の電気装置に対する電気装置の性能を評価するために行ってもよい。いくつかの例において、収集されたデータは、必要に応じて、個人毎に及び／又は団体毎にそのデータに対する異なるアクセスのレベルが割り振られるように、制限されてもよい。収集されたデータは、例えばEメール、ウェブページ、ポータブルサイトを含む電子手段などの任意の所望の手段によって入手できるようにされてもよい。
【００５５】
遠隔地１１０の従業員は、コンテナ５０からの使用済みブラシホルダアセンブリ１０を遠隔地の未使用のブラシホルダアセンブリと交換できる。例えば、従業員は、使用済みのブラシホルダアセンブリ１０の摩耗した部品を交換することによって、未使用のブラシホルダアセンブリ１０を遠隔地で準備できる。準備された未使用のブラシホルダアセンブリ１０は、未使用のブラシホルダアセンブリ１０のブラシホルダ１２に事前に装着された新しいブラシ２０を有するコンテナ５０（例えば、電気装置設備からもどったコンテナまたは他のコンテナ）に積まれうる。指定時間において、未使用のブラシホルダアセンブリ１０のコンテナ５０は、電気装置設備１００に又は別の場所に返送されて、使われなくなった使用済みブラシホルダアセンブリ１０と交換される。
【００５６】
いくつかの例において、１つ以上のまたは複数のコンテナは、各電気装置設備に関連づけられてもよい。例えば、第１コンテナ及び第２コンテナは、電気装置設備１００から遠隔地１１０に、又は遠隔地１１０から電気装置設備１００にブラシホルダアセンブリを発送するために使われうる。第１コンテナ５０は、電気装置設備１００に配置される。第１コンテナ５０が使用済みブラシホルダアセンブリ１０で満たされると、その第１コンテナ５０は遠隔地１１０に発送され、未使用のブラシホルダアセンブリ１０で満たされている第２コンテナ５０が遠隔地１１０から電気装置設備１００に発送されうる。電気装置設備１００への未使用のブラシホルダアセンブリ１０の発送のタイミングは、必要に応じて制御できる。例えば、未使用のブラシホルダアセンブリ１０の第２コンテナ５０は、必要に応じて、第１コンテナ５０が遠隔地１１０に向けて発送されたことの通知を受けたときに、又は、事前に規定されたスケジュールに基づき第１コンテナ５０が遠隔地１１０に到着したときに、又は他の指定時間に、遠隔地１１０から発送されうる。
【００５７】
いくつかの例において、こうしたブラシホルダアセンブリのメンテナンスプログラムは、遠隔地（例えば、メンテナンス、又は販売設備）の従業員が、ブラシの摩耗の特定を理解する手助けとなる通常の又は定期的なデータの収集を実施しながら、顧客（例えば、電気装置設備の従業員）と連絡を取り合うための手段を提供できる。例えば、複数の電気装置設備からのデータは、収集され、分析や評価のため共通のデータ収集ポータプルのデータベースにアップロードされうる。収集されたデータは、必要に応じて、個人毎に及び／又は団体毎にそのデータに対する異なるアクセスのレベルが割り振られるように、制限されてもよい。収集されたデータは、例えばEメール、ウェブページ、ポータブルサイトを含む電子手段などの任意の所望の手段によって入手できるようにされてもよい。
【００５８】
さらに、複数の電気装置設備からの使用済みブラシホルダアセンブリを、当該複数の電気装置設備の遠隔にある販売やメンテナンスをする共通の場所で収集することは、電気装置のメンテナンス作業に関係した資源を統合できるので、電気装置のメンテナンス作業に関係した費用を減らすことができる。例えば、遠隔地１１０からの又は遠隔地１１０に関係したメンテナンス従業員は、電気装置又はブラシホルダアセンブリ１０のメンテナンスをするために電気装置設備１００に行く必要がなくなり、ひいては、電気装置設備１００によって被る費用を削減できうる。
【００５９】
顧客（例えば、電気装置設備１００）と供給者（例えば、遠隔地１１０）とは、料金と引き換えに供給者がブラシホルダアセンブリ１０又は部品等（例えば、ブラシホルダ１２、ブラシ２０等）を交換する契約を結びうる。例えば、供給者は、ブラシホルダ１２とブラシ２０とを含む交換用のブラシホルダアセンブリ１０を電気装置設備の電気装置へ供給するために顧客からの料金を受け取ることができる。料金と引き換えにブラシホルダ１２とブラシ２０とを含む交換用（例えば、未使用）ブラシホルダアセンブリ１０が第３者の宅配サービスを介して供給者から電気装置設備に送付されてもよい。いくつかの例において、交換用ブラシホルダアセンブリ１０を供給することに関連した料金は、１回の料金にできるし、又はその料金は、継続的料金にできる（例えば、毎週、毎月、３月毎に、半年ごとに、１年ごとに）。いくつかの例において、交換用ブラシホルダアセンブリの供給と送付に関する料金は、供給者からの交換ブラシの購入費用に含めることができる。いくつかの例において、その契約は、使用済み部品（例えば、使用済みブラシホルダアセンブリ１０、使用済みブラシホルダ１２、摩耗したブラシ２０等）を顧客が供給者に送付することを求めてもよい。いくつかの例において、供給者から交換用ブラシホルダアセンブリ１０を送付することは、使用済みブラシホルダアセンブリ１０を供給者に送られることの指示から見出される。いくつかの例において、顧客は交換用ブラシホルダアセンブリ１０を送る前に、ブラシ２０の交換が保証されたものであることを示す証書を供給者に提示しなければならない。いくつかの例において、交換用ブラシホルダアセンブリ１０を送付するかどうかは、電気装置設備で使用中のブラシホルダアセンブリ１０の検査結果に応じて、供給者の判断に委ねられる。
【００６０】
その技術において、当業者は、本開示の側面がここで説明、熟考された特定の実施形態以外の様々な形態で具現化できると認識するだろう。従って、添付した特許請求の範囲に説明されている本開示の趣旨及び範囲から逸脱することなく形態及び詳細を変更してもよい。
【図１】
2015534665.tif 000003
【図２】
2015534665.tif 000004
【図３】
2015534665.tif 000005
【図４】
2015534665.tif 000006
【図５】
2015534665.tif 000007
【図６】
2015534665.tif 000008
【図７】
2015534665.tif 000009
【国際調査報告】
2015534665.tif 000010
2015534665.tif 000011
2015534665.tif 000012